(57)【要約】  連結部２１（３１）は、孔部２２（３３）と、孔部２２（３３）の径より小さい幅でアーム２（３）の縁から孔部２２（３３）に切り込まれた軸挿入部２３（３４）とからなり、ポスト部４２ａ（４２ｂ）は、上下アーム２，３を通常では使用しない範囲まで突出させた際に所定の方向からのみ軸挿入部２３（３４）を介して孔部２２（３３）に着脱可能な軸４３ａ（４３ｂ）と、孔部２２（３３）の径より大きな径で軸４３ａ（４３ｂ）の両端に形成された固定部４４ａ（４４ｂ）とからなる。
2011092730.tif 000002
【特許請求の範囲】
【請求項１】
本体部から突没する先端部に連結部が形成された下アームと、先端部に連結部が形成され、他端部が前記本体部に回動可能に支持された上アームと、側面下部に前記下アームの連結部と連結するポスト部が設けられ、側面上部に前記上アームの連結部と連結するポスト部が設けられ、前記本体部の前面側に開閉可能に配置されたパネルとを備えた表示機器において、
前記連結部は、孔部と、前記孔部の径より小さい幅で前記アームの縁から前記孔部に切り込まれた軸挿入部とからなり、
前記ポスト部は、前記上下アームを通常では使用しない範囲まで突出させた際に所定の方向からのみ前記軸挿入部を介して前記孔部に着脱可能な軸と、前記孔部の径より大きな径で前記軸の両端に形成された固定部とからなる
ことを特徴とする表示機器。
【請求項２】
前記ポスト部は、前記軸が前記パネルの上下部で異なる向きに配置される
ことを特徴とする請求項１記載の表示機器。
【請求項３】
前記本体部には当接部が形成され、
前記下アームには、前記下アームが過度突出する際に前記当接部と当接する過度突出防止部材が設けられる
ことを特徴とする請求項１記載の表示機器。
【請求項４】
前記下アームは、突没動作を制御する制御部により過度突出が制限される
ことを特徴とする請求項１記載の表示機器。
【請求項５】
前記軸の断面形状は、短手方向が前記軸挿入部の幅より小さく、長手方向が前記軸挿入部の幅より大きな形状に形成される
ことを特徴とする請求項１記載の表示機器。
【請求項６】
前記軸は、前記アームの長さより短く形成され、
前記固定部は、前記ポスト部の固定部間の間隙部分が外側に向かい広くなるテーパ状に形成される
ことを特徴とする請求項１記載の表示機器。
【発明の詳細な説明】
【技術分野】
【０００１】
この発明は、例えば、本体部の前面側に開閉可能に配置されたパネルを備えた表示機器に関するものである。
【背景技術】
【０００２】
従来の表示機器は、表示機器の各部の動作を制御する制御部等を収納した本体部と、本体部の前面側に開閉可能に配置されたパネルとを備えている。また、パネル側面の上下部にはポスト部が設けられ、本体部から突没してパネルを開閉させる上下アームがそれぞれ連結されている。【０００３】
このパネルと上下アームを組み付ける際には、パネルのポスト部をアームの先端部に形成された孔部に合わせ、アーム外側から孔部を介してポスト部にネジ締めを行っている（例えば、特許文献１参照）。
【先行技術文献】
【特許文献】
【０００４】
【特許文献１】特開２００１−２９１９６７号公報
【発明の概要】
【０００５】
しかしながら、特許文献１に開示される従来の表示機器では、パネルと上下アームの組み付けをネジで行っており、このネジ締めをパネルの左右両側面で行うために製品の反転作業を行う必要があり、製品の組み立て工数が増加するという課題があった。また、メンテナンス性も悪いという課題があった。
【０００６】
この発明は、上記のような課題を解決するためになされたもので、パネルと上下アームの組み付けを容易に行うことができ、メンテナンス性を改善することができる表示機器を提供することを目的としている。
【０００７】
この発明に係る表示機器において、連結部は、孔部と、孔部の径より小さい幅でアームの縁から孔部に切り込まれた軸挿入部とからなり、ポスト部は、上下アームを通常では使用しない範囲まで突出させた際に所定の方向からのみ軸挿入部を介して孔部に着脱可能な軸と、孔部の径より大きな径で軸の両端に形成された固定部とからなるものである。
【０００８】
この発明によれば、上記のように構成したので、上下アーム先端部の連結部を、孔部と、孔部の径より小さい幅でアームの縁から孔部に切り込んだ軸挿入部とから構成し、パネル側面上下部に設けたポスト部を、上下アームを通常では使用しない範囲まで突出させた際に所定の方向からのみ軸挿入部を介して孔部に着脱可能な軸と、孔部の径より大きな径で軸の両端に形成した固定部とから構成することで、パネルと上下アームの組み付けを容易に行うことができ、製品の組み立て工数を削減することができる。また、パネルを上下アームから取り外す際も容易に作業を行うことができるため、メンテナンス性を改善することができる。
【図面の簡単な説明】
【０００９】
【図１】この発明の実施の形態１に係る表示機器の構成を示す一部を断面にした（ａ）パネル閉状態を示す図であり、（ｂ）パネル開状態を示す図である。
【図２】この発明の実施の形態１における連結部及びポスト部を示す（ａ）上面図であり、（ｂ）側面図である。
【図３】この発明の実施の形態１における過度突出防止機構を示す一部を切り取った斜視図である。
【図４】この発明の実施の形態１におけるパネルとアームの組み付けを説明する（ａ）下アームとの連結を示す図であり、（ｂ）上アームとの連結を示す図である。
【図５】この発明の実施の形態１におけるポスト部の別の構成を示す上面図である。
【発明を実施するための形態】
【００１０】
以下、この発明の実施の形態について図面を参照しながら詳細に説明する。
実施の形態１．
表示装置は、図１に示すように、本体部１、下アーム２、上アーム３及びパネル４から構成される。
【００１１】
本体部１は、パネル装置の各部の動作を制御する不図示の制御部や下アーム２、下アーム２を突没させるための不図示の案内機構、モータ、ギア等を収納したものである。この本体部１の内側両側面には、上アーム３の先端部を回動可能に支持する軸１１が形成されている。また、図３に示すように、本体部１の内側両側面には、下アーム２の過度突出を防止するための当接部（過度突出防止機構）１２が形成され、両側面には、この過度突出防止機構を解除するための窓１３が形成されている。
【００１２】
下アーム２は、パネル４両側面下部に１本ずつ連結される板金部材であり、不図示の案内機構に支持され、先端部には後述するポスト部４２ａと連結する連結部２１が形成されている。図２（ｂ）に示すように、この連結部２１は、孔部２２と、孔部２２の径より小さい幅で下アーム２の縁から孔部２２に所定の方向に切り込まれた軸挿入部２３とからなる。
この下アーム２は、案内機構により先端部が本体部１から突没されることにより、パネル４下部をスライドさせて、パネル４を上向きに倒しながら開閉させる。
【００１３】
また、図３に示すように、下アーム２の外側面には、下アーム２が過度突出する際に突出部２４が当接部１２に当接する過度突出防止部材（過度突出防止機構）２５が設けられている。この突出部２４は弾性を有し、窓１３から突出部２４を押圧しながら下アーム２を過度突出させることによって、突出部２４を当接部１２に当接することなく乗り越えさせることができ、これにより過度突出防止機構を解除することができる。
【００１４】
上アーム３は、パネル４両側面上部に１本ずつ連結される板金部材であり、先端部には後述するポスト部４２ｂと連結する連結部３１が形成され、他端部には軸１１に支持される孔部３２が形成されている。図２（ｂ）に示すように、この連結部３１は、孔部３３と、孔部３３の径より小さい幅で上アーム３の縁から孔部３３に所定の方向に切り込まれた軸挿入部３４とからなる。
この上アーム３は、下アーム２の突没に応じて軸１１を支点にして回動されることにより、パネル４を上向きに倒しながら開閉させる。
【００１５】
パネル４は、映像を表示するディスプレイ４１を前面に有するものであり、本体部１の前面側に開閉可能に配置されている。このパネル４両側面の下部には連結部２１と連結するポスト部４２ａが設けられ、上部には連結部３１と連結するポスト部４２ｂが設けられている。
【００１６】
ポスト部４２ａ（４２ｂ）は、図２に示すように、上下アーム２，３を通常では使用しない範囲まで突出させた際に所定の方向からのみ軸挿入部２３（３４）を介して孔部２２（３３）に着脱可能な軸４３ａ（４３ｂ）と、軸４３ａ（４３ｂ）の両端に形成された固定部４４ａ（４４ｂ）とからなり、樹脂により形成されている。この軸４３ａ（４３ｂ）の断面形状は、短手方向が軸挿入部２３（３４）の幅より小さく、長手方向が孔部２２（３３）の径と略同一な小判型形状に形成されている。また、軸４３ａ（４３ｂ）は、アーム２（３）の厚みよりも長く形成されている。また、固定部４４ａ（４４ｂ）は、孔部２２（３３）の径より大きな径に形成され、アーム２（３）を挟み込むことでアーム２（３）がパネル４から外れることを防止する。
【００１７】
なお、ポスト部４２ａの軸４３ａとポスト部４２ｂの軸４３ｂは互いに異なる向きに配置されてパネル４に取り付けられている。この軸４３ａ（４３ｂ）の向きは、以下に示すパネル４と上下アーム２，３の組み付けにおいてポスト部４３ａ（４３ｂ）を連結部２１（３１）に連結する際に、軸挿入部２３（３４）の向きと一致するように設定されている。
【００１８】
次に、上記のように構成された表示機器のパネル４と上下アーム２，３の組み付けについて説明する。
まず、図４（ａ）に示すように、窓１３から突出部２４を押圧しながら下アーム２を過度突出させることにより、過度突出防止機構を解除して、上下アーム２，３を通常では使用しない範囲まで突出させる。この状態で、パネル４のディスプレイ４１面を下向きにして、ポスト部４２ａの軸４３ａ方向と連結部２１の軸挿入部２３方向を一致させる。次いで、軸４３ａを軸挿入部２３を介して孔部２２に嵌め込む。
【００１９】
次いで、図４（ｂ）に示すように、パネル４をポスト部４２ａを支点に上向きに回転させ、ディスプレイ４１面を上向きにする。この際、ポスト部４２ａの小判型形状の軸４３ａも孔部２２内で回転し、軸挿入部２３方向と軸４３ａ方向が一致しなくなるため、ポスト部４２ａが連結部２１から外れなくなる。また、パネル４を回転させることにより、ポスト部４２ｂの軸４３ｂ方向と連結部３１の軸挿入部３４方向が一致する。
【００２０】
次いで、軸４３ｂを軸挿入部３４を介して孔部３３に嵌め込む。次いで、下アーム２を本体部１内に没入させる。この際、上アーム３は軸１１を支点に本体部１側に回動し、ポスト部４２ｂの小判型形状の軸４３ｂも孔部３３内で回動し、軸挿入部３４方向と軸４３ｂ方向が一致しなくなるため、ポスト部４２ｂが連結部３１から外れなくなる。
以上により、パネル４と上下アーム２，３を組み付けることができる。
【００２１】
また、下アーム２を本体部１内に没入させることによって過度突出防止機構が機能し、表示器機を通常使用している際には、上下アーム２，３が通常では使用しない範囲まで突出することはないため、パネル４が上下アーム２，３から外れることはない。
【００２２】
次に、パネル４の上下アーム２，３からの取り外しについて説明する。
まず、窓１３から突出部２４を押圧しながら下アーム２を過度突出させることにより、過度突出防止機構を解除して、上下アーム２，３を通常では使用しない範囲まで突出させる。この際、軸挿入部３４方向と軸４３ｂ方向を一致させる。次いで、ポスト部４２ｂを連結部３１から取り外す。
【００２３】
次いで、パネル４をポスト部４２ａを支点に回転させ、ディスプレイ４１面を下向きにする。この際、軸挿入部２３方向と軸４３ａ方向を一致させる。次いで、ポスト部４２ａを連結部２１から取り外す。
以上により、パネル４を上下アーム２，３から取り外すことができる。
【００２４】
以上のように、この発明の実施の形態１によれば、アーム２（３）先端部に、孔部２２（３３）と、孔部２２（３３）の径より小さな幅でアーム２（３）の縁から孔部２２（３３）に切り込んだ軸挿入部２３（３４）とからなる連結部２１（３１）を形成し、パネル４側面上下部に、上下アーム２，３を通常では使用しない範囲まで突出させた際に所定の方向からのみ軸挿入部２３（３４）を介して孔部２２（３３）に着脱可能な軸４３ａ（４３ｂ）と、孔部２２（３３）の径より大きな径で軸４３ａ（４３ｂ）の両端に形成した固定部４４ａ（４４ｂ）とからなるポスト部４２ａ（４２ｂ）を設けて構成したので、パネル４と上下アーム２，３の組み付けを容易に行うことができ、製品の組立て工数を削減することができる。
【００２５】
また、パネル４を上下アーム２，３から取り外す際も容易に作業を行うことができるため、メンテナンス性を改善することができる。さらに、従来用いていたネジが不要となり、部品点数を削減することができるため、コストを低減させることができる。
【００２６】
なお、この実施の形態１に係る表示機器では、下アーム２の過度突出を防止するために、過度突出防止機構を設けるようにしたが、下アーム２の突没距離はモータの回転数により算出されるため、不図示の制御部によってこのモータの回転数を制御して下アーム２の過度突出を制限するように構成してもよい。
【００２７】
また、この実施の形態１に係る表示機器では、ポスト部４２ａ（４２ｂ）を樹脂により形成したが、このポスト部４２ａ（４２ｂ）を金属により形成し、孔部２２（３３）及び軸挿入部２３（３４）に別体の樹脂部品を取り付けるように構成してもよい。
【００２８】
また、この実施の形態１に係る表示機器では、ポスト部４２ａ（４２ｂ）の軸４３ａ（４３ｂ）の断面形状は小判型形状としたが、これに限るものではなく、上下アーム２，３を通常では使用しない範囲まで突出させた際に所定の方向からのみ軸挿入部２３（３４）を介して孔部２２（３３）に着脱可能な形状であればよく、例えば、軸の断面形状を、短手方向が軸挿入部２３（３４）の幅より小さく、長手方向が軸挿入部２３（３４）の幅より大きなＤ型形状に形成してもよい。
【００２９】
また、この実施の形態１に係る表示機器では、ポスト部４２ａ（４２ｂ）の固定部４４ａ（４４ｂ）間の間隙部分を平行にして説明したが、図５に示すように、固定部４４ａ（４４ｂ）間の間隙部分が外側に向かって広がるように、固定部４４ａ（４４ｂ）をテーパ状に形成してもよい。この場合、軸４３ａ（４３ｂ）はアーム２（３）の厚みより短く構成される。このように固定部４４ａ（４４ｂ）にテーパをつけることで、ポスト部４２ａ（４２ｂ）を孔部２３（３３）に嵌め込んだ際のがたつきを抑えることができる。
【産業上の利用可能性】
【００３０】
この発明に係る表示機器は、パネルとアームの組み付けを容易に行うことができ、製品の組み立て工数を削減することができる。また、メンテナンス性を改善することができるため、パネルを開閉可能な表示機器等に用いるのに適している。
【図１】
2011092730.tif 000003
【図２】
2011092730.tif 000004
【図３】
2011092730.tif 000005
【図４】
2011092730.tif 000006
【図５】
2011092730.tif 000007
【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
本体部から突没する先端部に連結部が形成された下アームと、先端部に連結部が形成され、他端部が前記本体部に回動可能に支持された上アームと、側面下部に前記下アームの連結部と連結するポスト部が設けられ、側面上部に前記上アームの連結部と連結するポスト部が設けられ、前記本体部の前面側に開閉可能に配置されたパネルとを備えた表示機器において、
前記連結部は、孔部と、前記孔部の径より小さい幅で前記アームの縁から前記孔部に切り込まれた軸挿入部とからなり、
前記ポスト部は、前記上下アームを通常では使用しない範囲まで突出させた際に所定の方向からのみ前記軸挿入部を介して前記孔部に着脱可能な軸と、前記孔部の径より大きな径で前記軸の両端に形成された固定部とからなる
ことを特徴とする表示機器。
【請求項２】
前記ポスト部は、前記軸が前記パネルの上下部で異なる向きに配置される
ことを特徴とする請求項１記載の表示機器。
【請求項３】
前記本体部には当接部が形成され、
前記下アームには、前記下アームが過度突出する際に前記当接部と当接する過度突出防止部材が設けられる
ことを特徴とする請求項１記載の表示機器。
【請求項４】
前記下アームは、突没動作を制御する制御部により過度突出が制限される
ことを特徴とする請求項１記載の表示機器。
【請求項５】
前記軸の断面形状は、短手方向が前記軸挿入部の幅より小さく、長手方向が前記軸挿入部の幅より大きな形状に形成される
ことを特徴とする請求項１記載の表示機器。
【請求項６】
前記軸は、前記アームの厚みより短く形成され、
前記固定部は、前記ポスト部の固定部間の間隙部分が外側に向かい広くなるテーパ状に形成される
ことを特徴とする請求項１記載の表示機器。
【手続補正書】
【提出日】平成24年4月2日(2012.4.2)
【手続補正１】
【補正対象書類名】特許請求の範囲
【補正対象項目名】全文
【補正方法】変更
【補正の内容】
【特許請求の範囲】
【請求項１】
本体部から突没する先端部に連結部が形成された下アームと、先端部に連結部が形成され、他端部が前記本体部に回動可能に支持された上アームと、側面下部に前記下アームの連結部と連結するポスト部が設けられ、側面上部に前記上アームの連結部と連結するポスト部が設けられ、前記本体部の前面側に開閉可能に配置されたパネルとを備えた表示機器において、
前記上下アームの連結部は、孔部と、前記孔部の径より小さい幅で前記上下アームの縁から前記孔部に切り込まれた軸挿入部とからなり、
前記上下ポスト部は、前記上下アームを通常では使用しない範囲まで突出させた際に所定の方向からのみ前記軸挿入部を介して前記孔部に着脱可能な軸と、前記孔部の径より大きな径で前記軸の両端に形成された固定部とからなる
ことを特徴とする表示機器。
【請求項２】
前記上下ポスト部は、前記軸が前記パネルの上下部で異なる向きに配置される
ことを特徴とする請求項１記載の表示機器。
【請求項３】
前記本体部には当接部が形成され、
前記下アームには、前記下アームが過度突出する際に前記当接部と当接する過度突出防止部材が設けられる
ことを特徴とする請求項１記載の表示機器。
【請求項４】
前記下アームは、突没動作を制御する制御部により過度突出が制限される
ことを特徴とする請求項１記載の表示機器。
【請求項５】
前記軸の断面形状は、短手方向が前記軸挿入部の幅より小さく、長手方向が前記軸挿入部の幅より大きな形状に形成される
ことを特徴とする請求項１記載の表示機器。
【請求項６】
前記軸は、前記上下アームの厚みより短く形成され、
前記固定部は、前記上下ポスト部の固定部間の間隙部分が外側に向かい広くなるテーパ状に形成される
ことを特徴とする請求項１記載の表示機器。
【国際調査報告】
2011092730.tif 000008
2011092730.tif 000009
2011092730.tif 000010